(57)【要約】【課題】保冷状態を維持して持ち運びができるとともに、型崩れしないでしかも衛生的に使用できる保冷袋を提供すること。【解決手段】外袋３の底面３１に第１のプラダン７を敷設することによって外袋３を角状に形成する。角状の外袋３の上方開口部から、底面を角状に形成した内袋３を収納して二重袋を形成するとともに、外袋３と内袋５との間に空気層６形成して断熱効果を向上する。内袋３に商品を収納した後、内袋３の上部折畳み部５４を折畳んでその上面に第２のプラダン８を、内袋３を軽く押えるように敷設する。外袋５の上部の折畳み部３３を折畳んで閉じることによって、型崩れしない保冷袋１を構成する。【選択図】図１
0003116662.tif 000002
【実用新案登録請求の範囲】
【請求項１】
表面に光反射層を有して断熱材で形成された外袋と、前記外袋に挿入可能で内周面に発泡層を有して断熱材で形成された内袋とを有して構成され、
前記外袋及び前記内袋は上部を開口した断面矩形状に形成されるとともに前記外袋と前記内袋との間に空気層が形成され、
前記外袋の底面には、前記外袋を断面矩形状に形成する第１のシート部材が敷設されていることを特徴とする保冷袋。
【請求項２】
前記外袋の内周面が黒色フィルム層で形成されていることを特徴とする請求項１記載の保冷袋。
【請求項３】
前記外袋内に挿入し開口部を閉塞した前記内袋の上部に第２のシート部材が前記内袋を押圧可能に敷設されることを特徴とする請求項２記載の保冷袋。
【請求項４】
前記外袋には、手提げ用紐が前記外袋の一側面から底面を通って前記一側面と対向する他側面に掛けて装着されていることを特徴とする請求項１，２又は３記載の保冷袋。
【考案の詳細な説明】
【技術分野】
【０００１】
本考案は、主に冷凍食品や生鮮食品物を運送する際に使用する保冷袋に関する。
【背景技術】
【０００２】
一般に、冷凍食品や生鮮食品等の商品を購入して持ち帰る際に、帰宅するまでの間に温度変化によって鮮度が落ちることがしばしばある。これを防止するために、それらを収納した袋にドライアイスを詰めたり、また保冷袋に収納したりして持ち帰ることが多かった。しかし、持ち帰るまでの時間が長いと、ドライアイスを詰めたり、保冷袋に収納しても鮮度が落ちたりすることがあることから、鮮度を落とさないように保冷袋自体を改良することが要望されていた。
【０００３】
従来、冷凍食品や生鮮食品等の商品を収納する保冷袋は、特許文献１や特許文献２によって知られている。例えば、特許文献１では断熱材で形成された袋本体に液化冷却ガスを供給してスノードライアイスを生成せしめるように構成している。この場合、袋本体の開口部には液化冷却ガス供給口を設けて、商品を収納した後で液化冷却ガスを供給できるようにしている。また、袋本体内には液化冷却ガス供給スペースと低温保存品収納スペースが設けられている。
【０００４】
また、特許文献２では、プラスチックフィルムで形成された袋材料を二重構造に構成した保冷袋が開示されている。この保冷袋の場合、外袋と内袋との間に空隙を設け、該空隙に水と結合してゲル状に変化する高分子吸収剤を充填させている。
【特許文献１】特開平１０−２６２６３３号公報（２〜４頁、図２参照）
【特許文献２】特開平６−１７１６７３号公報（３〜４頁、図１参照）
【考案の開示】
【考案が解決しようとする課題】
【０００５】
しかし、複数の冷凍食品や生鮮食品等の商品を詰め込むときや、例えば魚をそのままの形で収納する場合には、保冷袋自体が、中身の形を維持した状態で持ち運びできるように形成する必要があった。また、保冷袋を何度も使用する場合には、過去に収納した商品の汚れが付着していることもあり汚れがたまらないように衛生的に構成する必要もあった。
【課題を解決するための手段】
【０００６】
本考案は、上述の課題を解決するものであり、冷凍食品や生鮮食品等の商品を、保冷状態を維持したまま運送することはもちろんのこと、商品の形を崩すことなく、また衛生的に持ち運べるように構成した簡易型の保冷袋を提供することを目的とする。そのために、本考案に係る保冷袋は、
請求項１記載の考案では、表面に光反射層を有して断熱材で形成された外袋と、前記外袋に挿入可能で内周面に発泡層を有して断熱材で形成された内袋とを有して構成され、
前記外袋及び前記内袋は上部を開口した断面矩形状に形成されるとともに前記外袋と前記内袋との間に空気層が形成され、
前記外袋の底面には、前記外袋を断面矩形状に形成する第１のシート部材が敷設されていることを特徴とするものである。
【０００７】
請求項２記載の考案では、前記外袋の内周面が黒色フィルム層で形成されていることを特徴としている。
【０００８】
請求項３記載の考案では、前記外袋内に挿入し開口部を閉塞した前記内袋の上部に第２のシート部材が前記内袋を押圧可能に敷設されることを特徴としている。
【０００９】
請求項４記載の考案では、前記外袋には、手提げ用紐が前記外袋の一側面から底面を通って前記一側面と対向する他側面に掛けて装着されていることを特徴としている。
【考案の効果】
【００１０】
本考案に係る保冷袋では、内袋内に収納した商品は、外袋と内袋の二重による断熱効果および、外袋と内袋との間の空気層による断熱効果により、保冷状態を維持することができる。しかも、外袋を、断面矩形状に形成するとともに、第１のシート部材を外袋の底面に敷設することにより断面矩形状を維持して保冷袋の型崩れを防止している。そのため、複数の冷凍食品や生鮮食品をその形を崩さずに持ち運ぶことができる。また、外袋と内袋とは、一体的に構成されているわけではないことから、一旦使用した内袋を交換することによって、生鮮食品を衛生的に収納することができる。
【００１１】
また、外袋に商品を収納した内袋の開口部を閉塞した状態で、第２のシート部材を内袋の上方から押圧するように敷設する。これによって、内袋の閉塞状態を維持して断熱効果を向上させることができるとともに、第１のシート部材と第２のシート部材により保冷袋の型崩れを防止することができる。
【考案を実施するための最良の形態】
【００１２】
次に、本考案の保冷袋の一実施形態を図面に基づいて説明する。以下説明する保冷袋は、冷凍食品や生鮮食品等の商品を断熱した状態にして持ち運びできるように構成したものである。
【００１３】
図１に示すように、実施形態の保冷袋１は、外袋３と、内袋５と、外袋３の底面に敷設する第１のシート部材（以下、第１のプラダンという。）７と、内袋５の上面側に敷設する第２のシート部材（以下、第２のプラダンという）８とを有して構成されている。外袋３と内袋５との間には空隙部が形成され空気層６として構成されている。
【００１４】
外袋３は、図２に示すように、底面３１と四側面３２とを有して上部が開口された断面矩形の袋状に形成されている。そしてこの外袋３は、ポリプロピレンの布部材（クロス）を間にして、内層面が黒色ポリエチレンフィルムをラミネート加工した層で形成され、外層面がポリエステルフィルムにアルミニウム蒸着した層で形成されている。そのため、中間層のポリエステルクロスにより丈夫で長期間の使用を可能とし、内層面で内部を蓄熱して温度上昇を防止するとともに外層面で太陽光を反射可能としている。そして外袋３の上部を折畳んで上面の開口部を閉塞可能にする。外袋３における四側面のうち一方の対向する両側部３２上部内周面には、マジックテープ（登録商標）等を貼着しておくことが望ましい。
【００１５】
外袋３には、手提げ用紐４が一側面部３２の外周面から底面３１を通って対向する他方の側面部３２の外周面に縫着されている。手提げ用紐４は、１本の紐をエンドレス状に形成するとともに、外袋３の開口部を上方にした状態で縦方向に２列になるように装着する。この際、対向する一方の両側面３２の上部が折畳み部３３になることから、折畳み部３３には手提げ用紐４を縫着しないで、両側面部３２から突出した縁部をそれぞれ対向した状態にする。この手提げ用紐４を外袋３の外周面に沿って装着することによって、手提げ用紐４を手で掴んで持ち運ぶ際、外袋３の型崩れ防止に役立つこととなる。なお、手提げ用紐４は外袋３に縫着するものではなく接着してもよい。
【００１６】
内袋５は、図３に示すように、底面５１と四側面５２とを有して上部が開口された断面矩形の袋状に形成されている。両側面５２には、両側面５２の下部から下方に突出した三角状の下部折畳み部５３を有して底面５１に重合可能としている。この下部折畳み部５３は、折畳むことによって、底面５１を二重に構成することとなるから、内袋５に強度を持たせるとともに内袋５の型崩れ防止の役目を果たしている。そしてこの内袋５は、内層面が発泡ポリエチレンフィルムをラミネート加工した層で形成され、外層面がポリエステルフィルムをアルミニウムで蒸着した層で形成されている。そのため、内層面により商品の損傷防止を行うとともに商品から汚れの付着を防止している。そして、内袋５の上部に上部折畳み部５４を形成して閉塞可能とする。
【００１７】
プラダン７、８は、図４に示すように、ポリプロピレン材をダンボール状に形成するとともに、外袋３の底面と略同一の矩形板状に形成している。
【００１８】
上記の保冷袋１は、外袋３、内袋５、プラダン７、８ともそれぞれ樹脂材で形成され、軽量に形成されている。
【００１９】
次に上記のように構成された保冷袋１の使用方法について、図５〜９に基づいて説明する。
【００２０】
先ず、図５に示すように、外袋３の上部を開口して外袋３の底面３１に第１のプラダン７を敷設する。第１のプラダン７は、外袋３の底面と略同一の寸法に形成されていることから、第１のプラダン７を敷設することによって、外袋３の底面は角底に保持される。
【００２１】
次に、図６に示すように、内袋５を広げるとともに両側部５２の下部折畳み部５３を折り曲げて角底にした状態で外袋３内に挿入して二重袋構造を構成する。この際、外袋３と内袋５との間には隙間が形成されることとなり空気層６として形成される。
【００２２】
そして、図７に示すように、内袋５に商品１０を収納する。内袋５は上方が開口され角底に形成されていることから、型崩れしないで箱状を維持している。そのため、この状態で、例えば、商品が大きいものであったり、１匹の魚そのものであったりしても、内袋５に容易に収納することができる。
【００２３】
内袋５内に商品１０が収納された後、図８に示すように、内袋５の上部を折り曲げて上部の開口部を閉塞して上部折畳み部５４を形成する。この上部折畳み部５４は、内袋５における四側面のうち対向する一方の両側面５２、５２の上部内面どうしを合わせるように閉じた後、その下方の位置において、一方の側面に向かって折り曲げることによって形成する。そして折畳み部５４上に第２のプラダン８を載せて内袋５を軽く押える。
【００２４】
その後、図９に示すように、外袋３の折畳み部３３を閉じて、例えば、マジックテープ（登録商標）等で外袋３の開口部を閉塞する。保冷袋１は、外袋３および内袋５とも、もともと断面矩形状に形成され低手、また、第１のプラダン７、第２のプラダン８を敷設することから型崩れをしないで角状を維持することができる。さらに、そして手提げ用紐４が外袋３の底面３１と対向する両側面３２に装着されていることにより、保冷袋１の角状を維持することとなる。
【００２５】
なお、商品を収納する内袋５には、氷やドライアイスあるいは蓄冷材を商品と同時に収納して保冷状態を維持して輸送することとなる。
【００２６】
そして、外袋３の両側面から突出した手提げ用紐４の縁部を掴んで保冷袋を持ち運ぶこととなる。なお、手提げ用紐の長さを長くすることによって肩に掛けることができることから、持ち運びを容易にすることができる。
【００２７】
上述のように、実施形態の保冷袋３によれば、外袋３と内袋５とで二重構造に構成していることから、外袋３と内袋５との間の隙間に形成される空気層６を含めて断熱効果を向上することができる。しかも外袋３の外表面には、アルミニウムを蒸着して太陽光を反射することができ、内層面には黒色のポリエチレンフィルムを形成していることから内部の熱を蓄熱して温度上昇を防止することができる。また、内袋５の内表面には、発泡剤をラミネート加工して商品の損傷を保護するとともに、商品の汚れを付着させない。
【００２８】
さらに、外袋３に挿入する内袋５は、上下に一対のプラダン（シート部材）７、８を敷設していることから、下のプラダン７によって外袋３の型崩れ防止を図ることができ、上のプラダン８によって内袋５を押えることができる。さらに、内袋５を必要に応じて交換することができ、衛生的に使用することができる。
【図面の簡単な説明】
【００２９】
【図１】本考案の一形態を示す保冷袋の断面図である。
【図２】図１の保冷袋における外袋を示す斜視図である。
【図３】同内袋を示す斜視図である
【図４】同プラダンを示す斜視図である。
【図５】外袋に第１のプラダンを挿入する状態を示す作用図である。
【図６】外袋に内袋を挿入する状態を示す作用図である。
【図７】内袋に商品を収納する状態を示す作用図である。
【図８】内袋の上方に第２のプラダンを敷設する状態を示す作用図である。
【図９】外袋の上部を閉じた状態の保冷袋を示す作用図である。
【符号の説明】
【００３０】
１、保冷袋
３、外袋
４、手提げ用紐
５、内袋
６、空気層
７、第１のプラダン
８、第２のプラダン
【図１】
0003116662.tif 000003
【図２】
0003116662.tif 000004
【図３】
0003116662.tif 000005
【図４】
0003116662.tif 000006
【図５】
0003116662.tif 000007
【図６】
0003116662.tif 000008
【図７】
0003116662.tif 000009
【図８】
0003116662.tif 000010
【図９】
0003116662.tif 000011